(57)【要約】【課題】歩行者の親指と人差し指の付け根部分を安定支持できて、歩行者が十分なホールド感を得つつ歩行可能な歩行補助用ポールのグリップを提供する。【解決手段】グリップ本体５の上端部５ａと下端部５ｂとの間に配設されるストラップ６、７の上端が、グリップ本体５の歩行方向後方側となる背面上端部に突出状態で設けられ歩行者の親指と人指し指の付け根部分に接触可能なストラップ支持部材１０に連結されると共に、その下端がグリップ本体５の下端部５ｂに連結されて、歩行者の少なくとも手の甲側を支持可能に構成される。また、前記ストラップ支持部材１０の前記ストラップ６、７が連結される側と反対側の位置に、歩行者の手の平側を支持可能な第２のストラップの上端が連結される。【選択図】図２
0003213515.tif 000002
【実用新案登録請求の範囲】
【請求項１】
ポールの上端に配設されたグリップ本体と、該グリップ本体の上端部と下端部との間に配設され当該グリップ本体を握った際の歩行者の手を支持可能なストラップとを備え、
前記ストラップは、その上端が前記グリップ本体の歩行方向後方側となる背面上端部に突出状態で設けられ前記歩行者の親指と人指し指の付け根部分に接触可能なストラップ支持部材に連結されると共に、その下端が前記グリップ本体の下端部に連結されて、前記歩行者の少なくとも手の甲側を支持可能に構成されていることを特徴とする歩行補助用ポールのグリップ。
【請求項２】
前記ストラップ支持部材の前記ストラップが連結される側と反対側の位置に、前記歩行者の手の平側を支持可能な第２のストラップの上端が連結されていることを特徴とする請求項１に記載の歩行補助用ポールのグリップ。
【請求項３】
前記ストラップ支持部材は、前記グリップ本体の背面に対して傾動可能に配設されていることを特徴とする請求項１または２に記載の歩行補助用ポールのグリップ。
【請求項４】
前記ストラップ支持部材に連結される一対のストラップは、その下端部が前記グリップ本体の下端部両側面にそれぞれ長さ調整可能に係止されることで、捻れた状態で前記グリップ本体の上端部と下端部との間に配設されていることを特徴とする請求項２または３に記載の歩行補助用ポールのグリップ。
【考案の詳細な説明】
【技術分野】
【０００１】  本考案は、例えばノルディック・ウォークをする際に使用したり高齢者等が歩行する際に杖として使用する歩行補助用ポールに関わり、特にポールの上端に取り付けられて歩行者が手で握るためのグリップに関する。
【背景技術】
【０００２】  従来、この種のグリップとしては、例えば特許文献１に開示されている。このグリップは、ポールの上端に取り付けられるグリップ本体と、このグリップ本体の上端部と下端部との間に配設された長さ調整可能なストラップとを備えている。そして、グリップ本体の上端部に設けられた凹状の曲面からなる支持部に親指を載せた状態で、他の４本の指をストラップ内に位置させてグリップ本体を握ると共に手の甲部分をストラップにより固定して、歩行するようにしている。
【先行技術文献】
【特許文献】
【０００３】
【特許文献１】特許第５４６００２０号公報
【考案の概要】
【考案が解決しようとする課題】
【０００４】  しかしながら、このようなグリップにあっては、グリップ本体の側面側に人差し指の上部を支持する合成樹脂板からなる係止部が設けられ、この係止部でグリップ本体を握った手の歩行中の不要な動き等を規制できるものの、ストラップは４本の指の甲側を支持し、固定的に配設される係止部は人差し指の上方への動きを規制するにすぎない。そのため、歩行者がグリップ本体を握って歩行する際に、フリーな状態の親指とストラップで支持状態の人差し指との付け根部分を安定して支持することが困難で、歩行者がグリップに十分なホールド感（握り心地）を得ることが難しい。【０００５】  本考案は、このような事情に鑑みてなされたもので、その目的は、歩行者の親指と人差し指との付け根部分を安定支持できて、歩行者が十分なホールド感を得つつ歩行可能な歩行補助用ポールのグリップを提供することにある。
【課題を解決するための手段】
【０００６】  かかる目的を達成すべく、本考案のうち請求項１に記載の考案は、ポールの上端に配設されたグリップ本体と、該グリップ本体の上端部と下端部との間に配設され当該グリップ本体を握った際の歩行者の手を支持可能なストラップとを備え、前記ストラップは、その上端が前記グリップ本体の歩行方向後方側となる背面上端部に突出状態で設けられ前記歩行者の親指と人指し指の付け根部分に接触可能なストラップ支持部材に連結されると共に、その下端が前記グリップ本体の下端部に連結されて、前記歩行者の少なくとも手の甲側を支持可能に構成されていることを特徴とする。【０００７】  また、請求項２に記載の考案は、前記ストラップ支持部材の前記ストラップが連結される側と反対側の位置に、前記歩行者の手の平側を支持可能な第２のストラップの上端が連結されていることを特徴とする。また、請求項３に記載の考案は、前記ストラップ支持部材が、前記グリップ本体の背面に対して傾動可能に配設されていることを特徴とする。さらに、請求項４に記載の考案は、前記ストラップ支持部材に連結される一対のストラップの下端部が、前記グリップ本体の下端部両側面にそれぞれ長さ調整可能に係止されることで、捻れた状態で前記グリップ本体の上端部と下端部との間に配設されていることを特徴とする。
【考案の効果】
【０００８】  本考案のうち請求項１に記載の考案によれば、グリップ本体の上端部と下端部との間に配設されるストラップが、歩行者の親指と人指し指の付け根部分に接触可能なストラップ支持部材とグリップ本体の下端部に連結されて、歩行者の少なくとも手の甲側を支持可能に構成されているため、ストラップの上端部分を歩行者の親指と人差し指との付け根部分に位置させることができ、ストラップとストラップ支持部材とで付け根部分を安定支持できると共に、少なくとも手の甲側をストラップで支持できて、歩行者がグリップに十分なホールド感を得つつ歩行することが可能になる。【０００９】  また、請求項２に記載の考案によれば、請求項１に記載の考案の効果に加え、ストラップ支持部材のストラップが連結される側と反対側の位置に、歩行者の手の平側を支持可能な第２のストラップの上端が連結されているため、第２のストラップで歩行者の手の平側も支持できて、歩行時のホールド感を一層向上させることができる。【００１０】  また、請求項３に記載の考案によれば、請求項１または２に記載の考案の効果に加え、ストラップ支持部材がグリップ本体の背面に対して傾動可能に配設されているため、歩行時の手の動きにストラップ支持部材を追従させることができて、歩行時のグリップのホールド感をより一層向上させことができる。【００１１】  さらに、請求項４に記載の考案は、請求項２または３に記載の考案の効果に加え、ストラップ支持部材に連結される一対のストラップの下端部がグリップ本体の下端部両側面に長さ調整可能に係止されることで、各ストラップが捻れた状態でグリップ本体の上端部と下端部との間に配設されているため、各ストラップで手の甲側と手の平側を良好に支持できて、歩行時のグリップのホールド感をより一層向上させることができる。
【図面の簡単な説明】
【００１２】
【図１】本考案に係わるグリップを使用した歩行補助用ポールの正面図
【図２】同グリップの斜視図
【図３】同その上面側の斜視図
【図４】同グリップ本体の上端部の縦断面図
【図５】同その横断面図
【図６】同使用状態を示す斜視図
【図７】本考案に係わるグリップの変形例を示す側面図
【図８】同そのグリップ本体の下端部の縦断面図
【図９】同そのストラップ支持部材の平面図
【図１０】本考案に係わるグリップの他の変形例を示す図４と同様の縦断面図
【図１１】同その横断面図
【考案を実施するための形態】
【００１３】  以下、本考案を実施するための形態を図面に基づいて詳細に説明する。
図１〜図６は、本考案に係わるグリップの一実施形態を示している。本考案のグリップ１は、図１に示す歩行補助用ポール２に使用される。すなわち、歩行補助用ポール２は、所定長さかもしくは長さ調整可能なポール３を有し、該ポール３の先端である下端には、歩行時の衝撃吸収用のゴムキャップ４が取り付けられ、ポール３の上端にはグリップ１が取り付けられている。
【００１４】  前記グリップ１は、図２及び図３に示すように、ゴム材の成形により断面略楕円形状に形成されたグリップ本体５と、このグリップ本体５の上端部５ａと下端部５ｂとの間に配設された布製の一対のストラップ６、７を有している。このうちグリップ本体５は、その上端部５ａと下端部５ｂに歩行方向イ（図２参照）の前方側と側面側に突出した人差し指等支持部８と小指支持部９を有し、後述する人差し指１４ｂと親指１４ａの上方への移動や小指（図示せず）の下方への移動を規制するようになっている。
【００１５】  そして、このグリップ本体５の上端部５ａの歩行方向イの後方側となる背面５ｃには、連結部としてのストラップ支持部材１０が配設され、このストラップ支持部材１０には前記一対のストラップ６、７の上端がそれぞれ連結されている。このとき、ストラップ支持部材１０は、図４及び図５に示すように、前部がグリップ本体５の上端部５ａに左右方向（歩行方向イと直交する方向）に形成された貫通孔１１内に嵌挿配置された平面視略方形状の金属製もしくは樹脂製の支持棒１０ａと、この支持棒１０ａの後部に連結された布製もしくは樹脂製の支持部材１０ｂとで構成されている。
【００１６】  また、前記ストラップ支持部材１０は、その支持棒１０ａがグリップ本体５の上端部５ａ（貫通孔１１）に対して図４の矢印ロの如く所定角度傾動可能とされ、この支持棒１０ａに対しても支持部材１０ｂが同方向ロに所定角度傾動可能に配設されている。このストラップ支持部材１０の支持部材１０ｂに、前記一対のストラップ６、７の上端がそれぞれ連結支持されている。
【００１７】  このとき、各ストラップ６、７の上端が支持部材１０ｂの左右方向の両側に位置するようにして、支持部材１０ｂに縫製もしくは適宜の固着手段で連結固定されている。これにより、グリップ本体５の上端部５ａにおいて、一対のストラップ６、７の上端がグリップ本体５の背面５ｃに対して所定距離隔てて位置すると共に、グリップ本体５の左右方向（幅方向）に引き出された状態となっている。
【００１８】  一方、一対のストラップ６、７の下端は、図２に示すように、グリップ本体５の下端部５ｂに固定的もしくは回動可能に配設されたストラップ支持部材１２に連結支持されている。このストラップ支持部材１２は、前記ストラップ支持部材１０の支持棒１０ａと同様な形状や取付構造を有し、グリップ本体５の下端部５ｂに背面５ｃの外方に向けて取り付けられている。
【００１９】  そして、各ストラップ６、７は、ストラップ支持部材１２内にその先端を挿入して折り返し、各ストラップ６、７に設けた布製ファスナーを利用して連結することで、長さ調整可能で所定長さを有してグリップ本体５に取り付けられている。このストラップ６、７の下端のストラップ支持部材１２への取り付けにより、図２及び図３に示すように、ストラップ６、７がグリップ本体５に一体化されている。
【００２０】  次に、前記グリップ１の使用方法について説明する。先ず、グリップ本体５は、その軸心位置に形成され上底部が閉塞された軸孔５ｅ（図８参照）を、グリップ本体５自体の弾性や接着材を利用してポール３の上端に嵌挿することでポール３に取り付けられる。そして、歩行補助用ポール２を使用してノルディック・ウォークをする場合は、図６に示すように、手（図では左手１４を示す）の親指１４ａをストラップ７の内側に入れ、手１４の人差し指１４ｂ、中指１４ｃ、薬指１４ｄ及び図示しない小指をストラップ６、７の内側に入れて、各指でグリップ本体５を握ると共に、各ストラップ６、７の長さを調整して各ストラップ６、７の内面が手の甲側と手の平側に軽く接触するようにする。
【００２１】  このグリップ本体５を手で握った状態において、各手１４の指のうち親指１４ａと人差し指１４ｂが、グリップ本体５の人差し指等支持部８の下部を左右両側から挟む状態になると共に、親指１４ａと人差し指１４ｂの付け根部分にストラップ支持部材１０の支持部材１０ｂが接触した状態となる。これにより、各手１４の親指１４ａと人差し指１４ｂのグリップ本体５上方への移動が規制されると共に、各手１４の甲側がストラップ６で支持され手の平側がストラップ７で支持されることになる。
【００２２】  また同時に、ストラップ支持部材１０の支持棒１０ａ等がグリップ本体５に対して所定角度傾動可能に配設されていることから、各手１４の動きにストラップ支持部材１０が追従した状態で、手の甲側がストラップ６で支持され手の平側がストラップ７で支持される。これらのことから、手の甲側のみを支持する場合に比較して、歩行時に良好なホールド感が容易に得られることになる。
【００２３】  つまり、前記グリップ１の場合、グリップ本体５のバックとなる背面５ｃの上端部にストラップ支持部材１０を設け、このストラップ支持部材１０に一対のストラップ６、７の上端を左右方向に向けて連結支持すると共に、下端をストラップ支持部材１２に長さ調整可能に連結支持することで、ストラップ支持部材１０を親指１４ａと人差し指１４ｂの付け根部分に接触させると共に、一対のストラップ６、７を手の甲側と手の平側にそれぞれ位置させることで、歩行時のホールド感を高めるようにしている。
【００２４】  このように前記グリップ１によれば、グリップ本体５の上端部５ａと下端部５ｂとの間に配設されるストラップが、グリップ本体５の歩行方向イ後方側となる背面５ｃの上端部５ａと、グリップ本体５の下端部との間に配設された一対のストラップ６、７からなるため、一対のストラップ６、７の上端部分を歩行者の親指１４ａと人差し指１４ｂの付け根部分に位置させて接触させることができ、両ストラップ６、７で付け根部分を安定支持でき、歩行者がグリップ１に十分なホールド感を得つつ歩行することが可能になる。
【００２５】  また、一対のストラップ６、７が、グリップ本体５の背面５ｃから突出状態に設けられたストラップ支持部材１０にその上端がそれぞれ支持されて、ストラップ支持部材１０の左右両側に引き出された状態で配設されているため、歩行者の親指１４ａと人差し指１４ｂとの付け根部分を、２本のストラップ６、７で良好かつ安定支持することができる。特に、ストラップ支持部材１０がグリップ本体５の背面５ｃに対して傾動可能に配設されていることから、歩行時の各手１４の動きにストラップ支持部材１０を追従させることができ、これらのことから、歩行時のグリップ１のホールド感をより一層高めることができる。
【００２６】  また、一対のストラップ６、７の下端がグリップ本体５の下端部５ｂのストラップ支持部材１２に長さ調整可能に連結されているため、各ストラップ６、７で手の甲側と手の平側を良好に支持できて、歩行時のグリップ１のホールド感をより一層高めることができる。また、ストラップ支持部材１０の支持棒１０ａとストラップ支持部材１２用の部品との共通化を図ることもできて、安価なグリップ１を得ることが可能になる。
【００２７】  図７〜図１１は、前記グリップ１の変形例を示している。以下、前記実施形態と同一部位には同一符号を付して説明する。先ず、図７〜図９に示す変形例は、前記ストラップ支持部材をグリップ本体５の下端部５ｂの外周面に嵌合状態で配設するようにしたものである。すなわち、前記ストラップ支持部材１２に対応するストラップ支持部材１６は、図８及び図９に示すように、グリップ本体５の下端部５ｂ外周に設けた円環状の溝１５に嵌装可能なリング部１６ａと、このリング部１６ａの例えば直径位置外側に突出形成された一対の係止部１６ｂを有している。
【００２８】  そして、一対の係止部１６ｂがグリップ本体５の両側面５ｄ側に位置した状態で、前記実施形態と同様に、各ストラップ６、７の先端をストラップ支持部材１６の一対の係止部１６ｂの係止孔内に挿入して折り返し、各ストラップ６、７に設けた布製ファスナーを利用して連結することで、長さ調整可能な各ストラップ６、７が所定長さを有してグリップ本体５にそれぞれ取り付けられる。
【００２９】  このとき、各ストラップ６、７は、その上端がグリップ本体５の背面５ｃより所定寸法後方側に位置し、その下端がグリップ本体５の側面５ｄの下端に係止された状態となるため、各ストラップ６、７はグリップ本体の軸回り方向に若干捻れた状態で、かつ一方のストラップ６がグリップ本体５を握った手１４の甲側に位置し、他方のストラップ７が同手１４の手の平側に位置するように、グリップ本体５の上端部５ａと下端部５ｂとの間に配設されることになる。
【００３０】  なお、この例の場合、図９の二点鎖線で示すように、係止部１６ｂをリング部１６ａの外周部に一箇所設け、この係止部１６ｂに各ストラップ６、７の下端を係止させることもできる。このようにすれば、係止部１６ｂの位置をグリップ本体５の所定位置に設定することで、例えば各ストラップ６、７の捻れ度合いを手の大きさや形状等に対応させることができて、グリップ１のホールド感を一層高めることができる。また、この例において、ストラップ支持部材１６をグリップ本体５に対して軸回り方向に回動可能として、ホールド感を一層高めるようにしても良い。この例のグリップ１においても、前記実施形態のグリップ１と同様の作用効果を得ることができる。
【００３１】  また、図１０及び図１１に示す他の変形例は、前記ストラップ支持部材をグリップ本体５の上端部５ａに固定的に配設したものである。すなわち、前記ストラップ支持部材１０に対応するストラップ支持部材１７は、樹脂製もしくは金属製の板体で形成されて、グリップ本体５の上端部５ａに背面５ｃから外方に突出するように配設されている。
【００３２】  このとき、ストラップ支持部材１７の基端部は、グリップ本体５の上端部５ａ内に形成された溝１８内に位置してネジ１９で固定され、このストラップ支持部材１７の先端部に、両側面方向に突出するようにして各ストラップ６、７の上端が連結されている。この例のグリップ１においても、前記実施形態のグリップ１と同様の作用効果が得られる他に、特に、ストラップ支持部材１７の位置が固定化されて親指１４ａや人差し指１４ｂの上方への移動が確実に規制されることから、従来に比較してグリップ１のホールド感をより一層高めることができる。
【００３３】  なお、前記実施形態や各変形例においては、ストラップ支持部材に一対のストラップ６、７の上端をそれぞれ連結、すなわち２つのストラップ６、７で歩行者の手の甲側と手の平側をともに支持する構成としたが、本考案はこれに限定されず、手の平側を支持するストラップ６（もしくはストラップ７）を省略して、手の甲側を支持するストラップ７（もしくはストラップ６）のみ設ける構成としても良い。このように構成しても、ストラップ支持部材で親指と人差し指の付け根部分を押さえることができて、前記実施形態等と同様の作用効果を得ることができる。
【００３４】  また、前記実施形態や各変形例における、グリップ本体５の形状、ストラップ６、７の構成、ストラップ支持部材１０、１２、１６、１７の構成等は一例であって、例えばストラップ６、７とストラップ支持部材１０とを一体形状としたり、あるいはグリップ本体５の上端面を凹部形状ではなく平坦面等で形成したり、さらにはストラップ６の長さ調整を上下で共に可能としてストラップ６自体の交換を容易に行えるようにする等、本考案に係わる各考案の要旨を逸脱しない範囲において、適宜の構成を採用することができる。
【産業上の利用可能性】
【００３５】  本考案は、ノルディック・ウォーク用の歩行補助用ポールへの適用に限らず、リハビリ用や高齢者が歩行する際に使用する杖にも適用できる等、歩行を補助することが可能な全ての歩行補助用ポールのグリップに利用可能である。
【符号の説明】
【００３６】１・・・・・・・・グリップ
２・・・・・・・・歩行補助用ポール
３・・・・・・・・ポール
４・・・・・・・・ゴムキャップ
５・・・・・・・・グリップ本体
５ａ・・・・・・・上端部
５ｂ・・・・・・・下端部
５ｃ・・・・・・・背面
５ｄ・・・・・・・側面
６、７・・・・・・ストラップ
８・・・・・・・・人差し指等支持部
９・・・・・・・・小指支持部
１０・・・・・・・ストラップ支持部材
１０ａ・・・・・・支持棒
１０ｂ・・・・・・支持部材
１２・・・・・・・ストラップ支持部材
１４・・・・・・・左手
１４ａ・・・・・・親指
１４ｂ・・・・・・人差し指
１６・・・・・・・ストラップ支持部材
１６ａ・・・・・・リング部
１６ｂ・・・・・・係止部
１７・・・・・・・ストラップ支持部材
１９・・・・・・・ネジ
イ・・・・・・・・歩行方向
【図１】
0003213515.tif 000003
【図２】
0003213515.tif 000004
【図３】
0003213515.tif 000005
【図４】
0003213515.tif 000006
【図５】
0003213515.tif 000007
【図６】
0003213515.tif 000008
【図７】
0003213515.tif 000009
【図８】
0003213515.tif 000010
【図９】
0003213515.tif 000011
【図１０】
0003213515.tif 000012
【図１１】
0003213515.tif 000013